(57)【要約】【課題】警報器から鳴動される警報音に邪魔されることなくドアホン子器と通話できるインターホン親機及びそれを用いたインターホンシステムを提供する。【解決手段】住宅内に設置されるインターホン親機１と、住宅外に設置されてインターホン親機１との間で形成される通話路を通して通話するドアホン子器２と、住宅内に設置されて火災を感知すると警報音を鳴動する火災感知器３とを備えたインターホンシステムで、インターホン親機１は、火災感知器３が警報音を鳴動させている場合に、マイクロホン４に集音される火災感知器３からの警報音がドアホン子器２に送信されるのを遮断する遮断手段８を設けた。【選択図】図１
2007318568.tif 000002
【特許請求の範囲】
【請求項１】
住宅内に設置され、住宅外に設置されるドアホン子器との間で適宜形成される通話路を通して通話するインターホン親機であって、音声を集音するマイクロホンと、音声を鳴動するスピーカと、マイクロホンで集音された音声をドアホン子器に送信すると共にドアホン子器から受信した音声をスピーカで鳴動させる通話手段と、火災やガス漏れ等の異常時における警報器の作動を検知すると警報を報知する異常報知手段とを備え、少なくとも警報報知時においてマイクロホンに集音される警報器からの警報音がドアホン子器に送信されるのを遮断する遮断手段を設けたことを特徴とするインターホン親機。
【請求項２】
前記遮断手段は、警報器が鳴動する警報音の周波数を減衰させるフィルタ手段と、マイクロホンと通話手段とをフィルタ手段を介して接続する経路とマイクロホンと通話手段とをフィルタ手段を介さずに接続する経路とを切り替える遮断切替手段とから成ることを特徴とする請求項１記載のインターホン親機。
【請求項３】
請求項１又は２に記載のインターホン親機と、住宅外に設置されてインターホン親機との間で形成される通話路を通して通話するドアホン子器と、住宅内に設置されて火災やガス漏れ等を感知すると警報音を鳴動する警報器とを備えたことを特徴とするインターホンシステム。
【発明の詳細な説明】
【技術分野】
【０００１】
本発明は、火災やガス漏れ等の異常時に警報を報知するインターホン親機及びそれを用いたインターホンシステムに関する。
【背景技術】
【０００２】
従来から、住宅内に設置されるインターホン親機と住宅外に設置されるドアホン子器との間で通話可能なインターホンシステムにおいて、火災やガス漏れ等の異常時に住宅内に設置された警報器が警報音を鳴動すると共に、警報音やランプ表示によって警報を報知するインターホン親機が提供されている（例えば特許文献１参照）。このインターホン親機は、ドアホン子器との間で通話を行うための通話回路と、火災やガス漏れ等の異常時に警報器からの異常信号を受けて警報音を出力するアラームユニットと、ドアホン子器からの呼出とアラームユニットによる異常信号を処理する信号処理部とを備えたもので、１台のスピーカを通話回路とアラームユニットとで共用する構成とし、信号処理部がドアホン子器からの呼出、あるいは警報器からの異常信号を検知したときに、上記１台のスピーカを通話回路、アラームユニットに切り替え接続する切替器とを備えている。この切替器で通話回路とアラームユニットとを適宜交互に切り替え接続することで、インターホン親機から鳴動される警報音とドアホン子器との通話時の音声とが混声しないようになっている。
【特許文献１】特開平８−７０３６１号公報
【発明の開示】
【発明が解決しようとする課題】
【０００３】
しかしながら、上記従来例では、インターホン親機からの警報音の鳴動を停止しても、警報器からの警報音は警報器を操作しない限り鳴動し続けるようになっており、例えば住宅外にいる人からドアホン子器を通じて問い合わせがあった場合に、警報時に警報器から鳴動される警報音がドアホン子器との通話時にインターホン親機からの話し手の声と混声し、ドアホン子器においてインターホン親機からの話し手の声を聞き取り難くなり、住宅内の様子を正しく把握できないという問題があった。
【０００４】
本発明は、上記の点に鑑みて為されたもので、警報器から鳴動される警報音に邪魔されることなくドアホン子器と通話できるインターホン親機及びそれを用いたインターホンシステムを提供することを目的とする。
【課題を解決するための手段】
【０００５】
請求項１の発明は、上記目的を達成するために、住宅内に設置され、住宅外に設置されるドアホン子器との間で適宜形成される通話路を通して通話するインターホン親機であって、音声を集音するマイクロホンと、音声を鳴動するスピーカと、マイクロホンで集音された音声をドアホン子器に送信すると共にドアホン子器から受信した音声をスピーカで鳴動させる通話手段と、火災やガス漏れ等の異常時における警報器の作動を検知すると警報を報知する異常報知手段とを備え、少なくとも警報報知時においてマイクロホンに集音される警報器からの警報音がドアホン子器に送信されるのを遮断する遮断手段を設けたことを特徴とする。
【０００６】
請求項２の発明は、請求項１の発明において、遮断手段は、警報器が鳴動する警報音の周波数を減衰させるフィルタ手段と、マイクロホンと通話手段とをフィルタ手段を介して接続する経路とマイクロホンと通話手段とをフィルタ手段を介さずに接続する経路とを切り替える遮断切替手段とから成ることを特徴とする。
【０００７】
請求項３の発明は、請求項１又は２に記載のインターホン親機と、住宅外に設置されてインターホン親機との間で形成される通話路を通して通話するドアホン子器と、住宅内に設置されて火災やガス漏れ等の異常を感知すると警報音を鳴動する警報器とを備えたことを特徴とする。
【発明の効果】
【０００８】
請求項１の発明によれば、火災やガス漏れ等の異常が発生して警報器から警報音が鳴動している場合において、インターホン親機からドアホン子器に向かって話す際に、遮断手段によってマイクロホンに集音される警報器からの警報音を遮断することで話し手の声のみをドアホン子器に伝えることができ、したがって警報器からの警報音に邪魔されることなくドアホン子器においてインターホン親機からの話し手の声を聴き取り易くすることができる。
【０００９】
請求項２の発明によれば、インターホン親機からドアホン子器に向かって話す際に、火災やガス漏れ等の異常が発生して警報器から警報音が鳴動している場合には、マイクロホンに集音される警報器からの警報音をフィルタ手段を通して減衰させることで話し手の声のみをドアホン子器に伝えることができ、したがってドアホン子器においてインターホン親機からの話し手の声を聴き取り易くすることができる。また異常が発生していない正常時のように警報器から警報音が鳴動していない場合には、マイクロホンに集音される音声をフィルタ手段を介さずにドアホン子器に伝達することができる。
【００１０】
請求項３の発明によれば、請求項１又は２の効果を奏するインターホン親機を用いたインターホンシステムを実現することができる。
【発明を実施するための最良の形態】
【００１１】
以下、本発明の実施形態について図面を用いて説明する。尚、本実施形態では、警報器として火災感知器を用いている。本実施形態のインターホンシステムは、住宅内に設置されるインターホン親機１と、住宅外に設置されてインターホン親機１との間で形成される通話路を通して通話するドアホン子器２と、住宅内に設置されて火災を感知すると警報音を鳴動する火災感知器３とを備えている。
【００１２】
インターホン親機１は、音声を集音するマイクロホン４と、音声を鳴動するスピーカ５と、マイクロホン４で集音された音声をドアホン子器２に送信すると共にドアホン子器２から受信した音声をスピーカ５で鳴動させる通話手段６と、火災時における火災感知器３の作動を検知すると警報を報知する異常報知手段７と、スピーカ５からチャイム音を鳴動させるチャイム音発生部１１と、ドアホン子器２からの呼出を検知する呼出検知部１０と、ドアホン子器２からの呼出に応答するための通話釦１２と、スピーカ５と通話手段６とを接続する経路とスピーカ５とチャイム音発生部１１とを接続する経路とを切り替える切替部１３と、各部からの信号を処理する信号処理部９と、呼出から通話釦１２の操作が有効となる時間を測定するタイマ（図示せず）と、警報報知時においてマイクロホン４に集音される火災感知器３からの警報音がドアホン子器２に送信されるのを遮断する遮断手段８とを備えている。
【００１３】
通話手段６は、ドアホン子器２からの２線の通話線Ｌａと、マイクロホン４、スピーカ５の入力線及び出力線とを２線４線変換する回路を含み、マイクロホン４から入力される音声信号をドアホン子器２に送信し、ドアホン子器２からの音声信号をスピーカ５側に出力する機能を備えている。
【００１４】
異常報知手段７は、火災感知器３と接続される一対の感知器回線Ｌｂの線間電圧を監視しており、火災感知器３が火災を感知することによる感知器回線Ｌｂの線間電圧の変動を検知すると、異常を知らせる異常信号を信号処理部９に送信すると共にインターホン親機１に設けられた異常を報知する異常表示ランプ（図示せず）を点灯させる。尚、本実施形態では異常表示ランプの点灯によって警報を報知しているが、さらに警報音を鳴動させて警報を報知する構成にしても構わない。
【００１５】
呼出検知部１０は、通話線Ｌａの線間電圧を監視しており、ドアホン子器２の操作釦２０が操作されることによる通話線Ｌａの線間電圧の変動を検知すると、呼出を知らせる呼出信号を信号処理部９に送信する。
【００１６】
信号処理部９は、呼出検知部１０からの呼出信号及び異常報知手段７からの異常信号を受けてそれぞれ切替部１３及び後述する遮断切替手段８ｂを制御する。また、通話釦１２の操作を監視し、通話釦１２が操作されると切替部１３を制御するようになっている。尚、信号処理部９の各部の制御については後述する。
【００１７】
遮断手段８は、マイクロホン４と通話手段６との間に接続され、フィルタ手段８ａと遮断切替手段８ｂとから成る。フィルタ手段８ａは、遮断周波数以上の周波数の信号を減衰させるローパスフィルタから構成される。火災感知器３からの警報音の周波数は約１〜４ｋＨｚであるので、遮断周波数を約１ｋＨｚに設定することで、マイクロホン４に集音される火災感知器３からの警報音を減衰させて遮断することができる。遮断切替手段８ｂは、マイクロホン４と通話手段６とをフィルタ手段８ａを介して接続する経路と、フィルタ手段８ａを介さずに接続する経路とを切り替えるもので、信号処理部９からの信号によって制御される。
【００１８】
以下、本実施形態のインターホンシステムの動作説明をする。ドアホン子器２の呼出釦２０が操作されると通話線Ｌａの線間電圧が変動し、呼出検知部１０が電圧変動を検知して信号処理部９に呼出信号を送信する。信号処理部９は呼出信号を受信すると、スピーカ５とチャイム音発生部１１とを接続する経路に切り替えるように切替部１３を制御すると共に、チャイム音発生部１１を作動させてスピーカ５でチャイム音を鳴動させる。このチャイム音が鳴動する時間はタイマによって計時されており、チャイム音が鳴動している所定時間の間、信号処理部９は通話釦１２の操作を監視する。所定時間（例えば１分間）内に通話釦１２が操作されない場合には、チャイム音の鳴動を停止してドアホン子器２による呼出が終了する。一方、所定時間内に通話釦１２が操作されると、信号処理部９はスピーカ５と通話手段６とを接続する経路に切り替えるように切替部１３を制御し、ドアホン子器２とインターホン親機１との間に通話路が形成されて通話可能な状態となる。
【００１９】
次に、火災感知器３が警報音を鳴動させていない場合、即ち正常時と、火災感知器３が警報音を鳴動させている場合、即ち異常時とそれぞれにおけるインターホンシステムの動作説明をする。まず、正常時には、マイクロホン４と通話手段６とはフィルタ手段８ａを介さない経路で接続されている。火災感知器３が火災を感知すると、感知器回線Ｌｂの線間電圧が変動して警報音を鳴動させる（異常時に移行する）。異常報知手段７は、感知器回線Ｌｂの線間電圧の変動を検知すると、異常表示ランプ（図示せず）を点灯させると共に信号処理部９に異常信号を送信する。信号処理部９は異常信号を受信すると、マイクロホン４と通話手段６とをフィルタ手段８ａを介して接続する経路に切り替えるよう遮断切替手段８ｂを制御する。
【００２０】
火災感知器３を操作して警報音の鳴動を停止させる（正常時に移行する）と、感知器回線Ｌｂの線間電圧が元の電圧に戻り、異常報知手段７は異常表示ランプを消灯すると共に異常信号を信号処理部９に送信するのを止める。信号処理部９は異常信号の受信が止まると、マイクロホン４と通話手段６とをフィルタ手段８ａを介さずに接続する経路に切り替えるよう遮断切替手段８ｂを制御する。
【００２１】
上述のように、火災感知器３が警報音を鳴動させている場合に、マイクロホン４に集音される警報音を遮断手段８のフィルタ手段８ａによって減衰させるので、インターホン親機１からドアホン子器２に向かって話す際に、火災感知器３の警報音に邪魔されることなく話し手の声のみをドアホン子器２に伝達することができ、したがってドアホン子器２においてインターホン親機１からの話し手の声を聴き取り易くすることができる。また、火災感知器３が警報音を鳴動させていない場合には、遮断手段８の遮断切替手段８ｂによってマイクロホン４とドアホン子器２とをフィルタ手段８ａを介さない経路で接続できるので、ドアホン子器２においてインターホン親機１からの話し手の声を鮮明に聴き取ることができる。
【００２２】
ところで、本実施形態では火災感知器３が作動すると信号処理部９が遮断切替手段８ｂを制御してマイクロホン４とドアホン子器２とをフィルタ手段８ａを介して接続する経路に切り替えるようにしているが、火災感知器３が作動し且つドアホン子器２で呼出釦２０を操作した時点で信号処理部９が遮断切替手段８ｂを制御するようにしても構わない。更には、火災感知器３が作動し且つドアホン子器２で呼び出されている期間に通話釦１２を操作した時点で信号処理部９が遮断切替手段８ｂを制御するようにしても構わない。
【００２３】
尚、本実施形態の火災感知器３としては、熱感知式又は煙感知式の何れのものを用いても構わない。また、火災感知器３の代わりに、例えばガス漏れを感知するガスセンサー等のように、異常を感知すると警報音を鳴動するものであれば上記と同様の効果を奏することができる。
【図面の簡単な説明】
【００２４】
【図１】本発明の実施形態のインターホンシステムを示すブロック図である。
【符号の説明】
【００２５】
１  インターホン親機
２  ドアホン子器
３  火災感知器（警報器）
４  マイクロホン
５  スピーカ
６  通話手段
７  異常報知手段
８  遮断手段
８ａ  フィルタ手段
８ｂ  遮断切替手段
【図１】
2007318568.tif 000003